(57)【要約】      （修正有）【課題】空調機において、外気及び内気を確実に取り込む。【解決手段】空調機１は、施設園芸空間における暖房、冷房、加湿、除湿、及び二酸化炭素供給のうち少なくとも１つを行う空調機本体（暖房機本体２）と、この空調機本体２に供給するための空気を吸引する吸引手段（吸引ファン３）と、この吸引手段によって外気Ａ１を吸引するための外気吸気口６ｃと、吸引手段によって内気Ａ２を吸引するための内気吸気口６ｄと、外気吸気口６ｃを覆う位置（第１の位置Ｐ１）と内気吸気口６ｄを覆う位置（第２の位置Ｐ２）とに移動可能な可動部材（ダンパ部４）と、を備える。【選択図】図３
2019024407.tif 000002
【特許請求の範囲】
【請求項１】
施設園芸空間における暖房、冷房、加湿、除湿、及び二酸化炭素供給のうち少なくとも１つを行う空調機本体と、
前記空調機本体に供給するための空気を吸引する吸引手段と、
前記吸引手段によって外気を吸引するための外気吸気口と、
前記吸引手段によって内気を吸引するための内気吸気口と、
前記外気吸気口を覆う位置と前記内気吸気口を覆う位置とに移動可能な可動部材と、
を備えることを特徴とする空調機。
【請求項２】
前記外気吸気口及び前記内気吸気口は、各々の開口面を含む平面が互いに交差するように配置され、
前記可動部材は、前記外気吸気口を覆う位置と、前記内気吸気口を覆う位置と、前記外気吸気口及び前記内気吸気口を覆わない位置と、に亘って回動する、
ことを特徴とする請求項１記載の空調機。
【請求項３】
一端に設けられた内気取込口から内気を取り込む内気用ダクトを更に備え、
前記内気取込口は、前記内気吸気口よりも上方に位置する、
ことを特徴とする請求項１又は２記載の空調機。
【請求項４】
前記空調機本体は、前記吸引手段によって吸引される空気を用いて前記施設園芸空間の暖房を行う暖房機本体であり、
前記空調機は、前記吸引手段によって吸引される空気を用いて熱交換を行うヒートポンプ熱交換器部を更に備える、
ことを特徴とする請求項１から３のいずれか１項記載の空調機。
【請求項５】
前記可動部材の位置を制御する可動部材制御装置を更に備え、
前記可動部材制御装置は、前記施設園芸空間の内圧を外圧よりも高く保つように前記可動部材の位置を制御する、
ことを特徴とする請求項１から４のいずれか１項記載の空調機。
【請求項６】
前記可動部材の位置を制御する可動部材制御装置を更に備え、
前記可動部材制御装置は、前記可動部材が、前記外気吸気口を覆う位置と、前記内気吸気口を覆う位置と、に移動したことを検知する検知部を有し、
前記可動部材制御装置は、前記検知部の検知結果に基づき、前記可動部材の移動を停止する、
ことを特徴とする請求項１から４のいずれか１項記載の空調機。
【発明の詳細な説明】
【技術分野】
【０００１】
本発明は、施設園芸空間における暖房、冷房、加湿、除湿、及び二酸化炭素供給のうち少なくとも１つを行う空調機に関する。
【背景技術】
【０００２】
従来、ハウス内の暖房を行う暖房機において、ファンによって吸引される空気として、外気及び内気を用いるために、各々がシャッタで開閉する外気吸気口及び内気吸気口が対峙するように設けられた暖房機が提案されている（例えば、特許文献１及び２参照）。
【０００３】
なお、暖房機ではなく、外気を温室内に吸引する送風機に関する技術であるが、温室内を陽圧に保つことにより病害虫の温室内への侵入を防止する技術が提案されている（例えば、特許文献３参照）。
【先行技術文献】
【特許文献】
【０００４】
【特許文献１】特開２０１７−３５００８号公報
【特許文献２】特開２０１７−５１１３５号公報
【特許文献３】特開２００５−３４０４３号公報
【発明の概要】
【発明が解決しようとする課題】
【０００５】
ところで、燃焼式の温風暖房機は、温風用の空気が供給されないと、暖房機本体が焼損する。この点、外気吸気口と内気吸気口とが対峙するように設けられた上記の暖房機では、外気吸気口及び内気吸気口の各々がシャッタにより開閉するため、シャッタ或いはシャッタを制御する制御装置が故障すると、温風用空気が暖房機に供給されなくなり、温風暖房機本体が焼損する恐れがある。
【０００６】
本発明の目的は、外気及び内気を確実に取り込むことができる空調機を提供することである。
【課題を解決するための手段】
【０００７】
１つの態様では、空調機は、施設園芸空間における暖房、冷房、加湿、除湿、及び二酸化炭素供給のうち少なくとも１つを行う空調機本体と、前記空調機本体に供給するための空気を吸引する吸引手段と、前記吸引手段によって外気を吸引するための外気吸気口と、前記吸引手段によって内気を吸引するための内気吸気口と、前記外気吸気口を覆う位置と前記内気吸気口を覆う位置とに移動可能な可動部材と、を備える。
【発明の効果】
【０００８】
前記態様によれば、外気及び内気を確実に取り込むことができる。
【図面の簡単な説明】
【０００９】
【図１】一実施の形態に係る空調機を示す、（ａ）左側面図、（ｂ）正面図、及び（ｃ）右側面図である。
【図２】図１のII−II断面図である。
【図３】図１のIII−III断面図である。
【図４】一実施の形態における空気混合部内の空気混合空間を示す図である。
【図５】一実施の形態の第１変形例における空気混合部内の空気混合空間を示す図である。
【図６】一実施の形態における空調システムを示すブロック図である。
【図７】一実施の形態の第２変形例に係る空調機を示す左側面図である。
【発明を実施するための形態】
【００１０】
本発明の一実施の形態に係る空調機について、図面を参照しながら説明する。
図１は、一実施の形態に係る空調機１を示す、（ａ）左側面図、（ｂ）正面図、及び（ｃ）右側面図である。
【００１１】
図２は、図１のII−II断面図であり、図３は、図１のIII−III断面図である。
図４は、空気混合部６内の空気混合空間Ｍを示す図である。
図１（ａ）〜（ｃ）に示すように、空調機１は、ハウス２００内の施設園芸空間Ｇに配置されている。空調機１は、暖房機本体２と、この暖房機本体２の上部に配置される空気混合部６と、この空気混合部６に固定された例えば３本ずつの外気用ダクト７及び内気用ダクト８と、を備える。また、空調機１は、図３及び図４に示す吸引ファン３及びダンパ部４と、図４に示すヒートポンプ熱交換器部５と、を備える。
【００１２】
ハウス２００は、例えばビニル製の外装であるハウス本体２０１と、このハウス本体２０１を支持するフレーム２０２，２０３，２０４と、を備える。ハウス２００の内部空間は、施設園芸空間Ｇである。なお、施設園芸空間Ｇは、半密閉空間といえるハウス２００内の空間を例に説明するが、密閉空間といえる建物内の作物栽培に用いられる空間などであってもよい。
【００１３】
暖房機本体２は、燃焼炉、バーナなどを有し、図３及び図４に示す外気Ａ１及び内気Ａ２を加熱することにより、施設園芸空間Ｇ内に温風を供給する。なお、暖房機本体２は、暖房、冷房、加湿、除湿、及び二酸化炭素供給のうち少なくとも１つを行う空調機本体の一例である。
【００１４】
空気混合部６は、外気吸気部６ａ及び内気吸気部６ｂを有する。空気混合部６の内部は、空気混合空間Ｍになっている。
外気吸気部６ａは、外気Ａ１の流路が水平となる筒状を呈し、空気混合空間Ｍの上部から空気混合部６の外部（施設園芸空間Ｇ）に突出し外部と連通するように配置されている。内気吸気部６ｂは、内気Ａ２の流路が鉛直となる筒状を呈し、空気混合空間Ｍの上部から空気混合部６の外部と連通するように配置されている。なお、外気吸気部６ａのうち空気混合空間Ｍ側の端部である下端は、外気吸気口６ｃであり、内気吸気部６ｂのうち空気混合空間Ｍ側の端部である左端は、内気吸気口６ｄである。
【００１５】
なお、外気吸気口６ｃの開口面を含む平面（仮想平面Ｓ１）は、内気吸気口６ｄの開口面を含む平面（仮想平面Ｓ２）と交差する。好ましくは、仮想平面Ｓ１と仮想平面Ｓ２とは直交する。
【００１６】
吸引ファン３は、外気Ａ１及び内気Ａ２を吸引する例えばシロッコファンであり、空気混合部６内の空気混合空間Ｍに配置されている。なお、吸引ファン３は、暖房機本体２（空調機本体）に供給するための空気を吸引する吸引手段の一例である。
【００１７】
ダンパ部４は、図３及び図４に示すように、外気吸気口６ｃを覆う第１の位置Ｐ１と、内気吸気口６ｄを覆う第２の位置Ｐ２と、外気吸気口６ｃ及び内気吸気口６ｄを覆わない位置Ｐ３と、に亘って回動する。ダンパ部４の回動軸４ａは、図４に示すように、例えば外気吸気口６ｃと内気吸気口６ｄとの間に固定されている。
【００１８】
なお、図３及び図４に示すように、ダンパ部４は、外気吸気口６ｃを覆う第１の位置Ｐ１において、外気吸気口６ｃとの間に隙間を隔てて位置するが、外気吸気口６ｃに接触して外気吸気口６ｃを完全に塞いでもよい。また、特に図４に示すように、ダンパ部４は、内気吸気口６ｄを覆う第２の位置Ｐ２において、内気吸気部６ｂと干渉するように図示されているが、内気吸気部６ｂと干渉せず内気吸気部６ｂを塞いでいる。但し、ダンパ部４は、第２の位置Ｐ２において、第１の位置Ｐ１と同様に内気吸気口６ｄとの間に隙間を隔てて位置してもよい。また、ダンパ部４は、外気吸気口６ｃ及び内気吸気口６ｄを覆わない第３の位置Ｐ３において、外気Ａ１と内気Ａ２との混合比率を調整することができるため、第３の位置Ｐ３は、任意の角度に調整されればよい。
【００１９】
ヒートポンプ熱交換器部５は、例えば直方体形状を呈し、長さが最も短い辺が水平方向となるように、空気混合空間Ｍのうち吸引ファン３の横に縦置きされている。ヒートポンプ熱交換器部５は、吸引ファン３によって吸引される空気（外気Ａ１及び内気Ａ２）を用いて熱交換を行う。なお、図５（第１変形例）に示すように、ヒートポンプ熱交換器部５−１が例えば吸引ファン３の上方に横置きされていてもよいが、冷房を行う観点では縦置きされていることが望ましい。
【００２０】
外気用ダクト７は、外気吸気部６ａから鉛直上方に延び、先端である一端に設けられた外気取込口７ａから外気Ａ１を取り込む。内気用ダクト８は、内気吸気部６ｂから鉛直上方に延び、先端である一端に設けられた内気取込口８ａから内気Ａ２を取り込む。また、外気用ダクト７は、他端を外気吸気部６ａに固定され、内気用ダクト８は、他端を内気吸気部６ｂに固定されている。
【００２１】
ここで、内気取込口８ａは、内気吸気口６ｄよりも上方に位置する。内気取込口８ａの位置は、ハウス２００の大きさによるが、一例としては５，６メートルである。なお、図１（ｂ）、図２、及び図３においては、外気用ダクト７及び内気用ダクト８の上部の図示を省略している。
【００２２】
図６に示すように、空調機１は、暖房機本体２を制御する暖房機本体制御装置（空調機本体制御装置）１２と、吸引ファン３を制御する吸引ファン制御装置（吸引手段制御装置）１３と、ダンパ部４を制御するダンパ部制御装置（可動部材制御装置）１４と、ヒートポンプ熱交換器部５を制御するヒートポンプ制御装置１５と、を更に備える。図１（ｂ）及び（ｃ）に示すように、ダンパ部制御装置１４は、空気混合部６の右側面に配置されている。
【００２３】
図６に示す空調システム１００は、空調機１のほか、センサ１０１、窓１０２、制御盤装置１１０、センサ制御装置１１１、及び窓制御装置１１２を備える。なお、空調システム１００は、日光を遮蔽するカーテンや、このカーテンを制御するカーテン制御装置などの他の構成要素を更に備えてもよい。
【００２４】
センサ１０１は、例えば、ハウス２００内の温度、外気温、ハウス２００内の湿度、ハウス２００内の二酸化炭素濃度、照度などを検出するセンサである。センサ１０１の検出結果は、センサ制御装置１１１を介して制御盤装置１１０に送られる。制御盤装置１１０は、空調システム１００全体の制御を行う制御装置であり、暖房機本体制御装置１２、吸引ファン制御装置１３、ダンパ部制御装置１４、ヒートポンプ制御装置１５、センサ制御装置１１１、及び窓制御装置１１２を制御する。
【００２５】
ダンパ部制御装置１４又はこのダンパ部制御装置１４を制御する制御盤装置１１０は、ハウス２００内の温度や湿度や二酸化炭素濃度や外気温などのセンサ１０１の検出結果に基づきダンパ部４を制御することで外気Ａ１と内気Ａ２との使用比率を調整するが、施設園芸空間Ｇの内圧を、例えば所定差以上、外圧よりも高く保つようにダンパ部４の位置を制御するとよい。
【００２６】
ダンパ部制御装置１４は、ダンパ部４が、外気吸気口６ｃを覆う位置（第１の位置Ｐ１）と、内気吸気口６ｄを覆う位置（第２の位置Ｐ２）と、に移動したことを検知する検知部の一例であるリミットスイッチを有するとよい。また、ダンパ部制御装置１４又はこのダンパ部制御装置１４を制御する制御盤装置１１０は、リミットスイッチの検知結果に基づき、ダンパ部４の回動（移動）を停止するとよい。
【００２７】
なお、空調機１は、制御盤装置１１０を備える空調システム１００の一部として配置されているものに限られない。但し、空調機１は、センサ１０１の検出結果に基づき、暖房機本体２、吸引ファン３、ダンパ部４、ヒートポンプ熱交換器部５などが制御されることが望ましい。
【００２８】
図７は、第２変形例に係る空調機１−１を示す左側面図である。
図７に示す空調機１−１は、外気用ダクト７を備えず、外気吸気部６ａにおいてハウス本体２０１のフレーム２０２に固定されている。これにより、空調機１−１を安定させることができる。なお、本第２変形例における外気吸気部６ａは、ハウス本体２０１の外部に突出することで、外気を取り込む。
【００２９】
以上説明した本実施の形態では、空調機１は、施設園芸空間Ｇにおける暖房、冷房、加湿、除湿、及び二酸化炭素供給のうち少なくとも１つを行う空調機本体の一例である暖房機本体２と、この暖房機本体２に供給するための空気を吸引する吸引手段の一例である吸引ファン３と、この吸引ファン３によって外気Ａ１を吸引するための外気吸気口６ｃと、吸引ファン３によって内気Ａ２を吸引するための内気吸気口６ｄと、外気吸気口６ｃを覆う位置（第１の位置Ｐ１）と内気吸気口６ｄを覆う位置（第２の位置Ｐ２）とに移動可能な可動部材の一例であるダンパ部４と、を備える。
【００３０】
これにより、ダンパ部４やダンパ部４を制御するダンパ部制御装置１４が故障しても、外気Ａ１及び内気Ａ２のうち少なくとも一方が暖房機本体２に供給されるため、暖房機本体２に空焚きが生じるのを防ぐことができる。よって、本実施の形態によれば、外気Ａ１及び内気Ａ２を確実に取り込むことができる。
【００３１】
また、本実施の形態では、外気吸気口６ｃ及び内気吸気口６ｄは、各々の開口面を含む平面（仮想平面Ｓ１，Ｓ２）が互いに交差するように配置され、ダンパ部４は、外気吸気口６ｃを覆う第１の位置Ｐ１と、内気吸気口６ｄを覆う第２の位置Ｐ２と、外気吸気口６ｃ及び内気吸気口６ｄを覆わない第３の位置Ｐ３と、に亘って回動する。そのため、簡素な構成で、外気Ａ１及び内気Ａ２を確実に取り込むことができる。
【００３２】
また、本実施の形態では、空調機１は、一端に設けられた内気取込口８ａから内気Ａ２を取り込む内気用ダクト８を更に備え、内気取込口８ａは、内気吸気口６ｄよりも上方に位置する。ところで、施設園芸空間Ｇは、空間内の温度差に起因する自然対流によって、上部に高い温度帯、下部に低い温度帯の温度境界が発生する。この点、本実施の形態では、上述のように内気取込口８ａが内気吸気口６ｄよりも上方に位置することで、施設園芸空間Ｇ内の上部の内気Ａ２を取り込み、下部に排出することが可能となる。そのため、施設園芸空間Ｇ内の温度ムラを緩和することができる。なお、内気用ダクト８の内気取込口８ａの位置は、ハウス２００の高さなどに応じて選択されるとよいため、それに合わせて内気用ダクト８は所望の長さのものが適宜選択されるとよい。
【００３３】
また、本実施の形態では、空調機本体の一例が、吸引ファン３によって吸引される空気（外気Ａ１及び内気Ａ２）を用いて施設園芸空間Ｇの暖房を行う暖房機本体２であり、空調機１は、吸引ファン３によって吸引される空気を用いて熱交換を行うヒートポンプ熱交換器部５を更に備える。これにより、ヒートポンプ熱交換器部５専用の吸引手段を設けずに、ヒートポンプ熱交換器部５を用いて、冷房、除湿、暖房（例えば夜間に暖房機本体２とともに）などを行うことができる。
【００３４】
また、本実施の形態では、ダンパ部４の位置を制御するダンパ部制御装置（可動部材制御装置）１４を更に備え、ダンパ部制御装置１４又はこのダンパ部制御装置１４を制御する制御盤装置１１０は、施設園芸空間Ｇの内圧を外圧よりも高く保つようにダンパ部４の位置を制御する。これにより、ダンパ部４を用いた簡素な構成によって、ハウス２００の外部からの害虫侵入を防ぐことができる。
【００３５】
また、本実施の形態では、ダンパ部４の位置を制御するダンパ部制御装置（可動部材制御装置）１４を更に備え、ダンパ部制御装置１４又はこのダンパ部制御装置１４を制御する制御盤装置１１０は、ダンパ部４が、外気吸気口６ｃを覆う位置（第１の位置Ｐ１）と、内気吸気口６ｄを覆う位置（第２の位置Ｐ２）と、に移動したことを検知する検知部の一例であるリミットスイッチを有する。また、ダンパ部制御装置１４は、リミットスイッチの検知結果に基づき、ダンパ部４の回動（移動）を停止する。これにより、ダンパ部４を、外気吸気口６ｃを覆う位置（第１の位置Ｐ１）と、内気吸気口６ｄを覆う位置（第２の位置Ｐ２）と、に確実に移動させることができる。
【符号の説明】
【００３６】
１      空調機
２      暖房機本体（空調機本体の一例）
３      吸引ファン（吸引手段の一例）
４      ダンパ部（可動部材の一例）
４ａ      回動軸
５      ヒートポンプ熱交換器部
６      空気混合部
６ａ      外気吸気部
６ｂ      内気吸気部
６ｃ      外気吸気口
６ｄ      内気吸気口
７      外気用ダクト
７ａ      外気取込口
８      内気用ダクト
８ａ      内気取込口
１２      暖房機本体制御装置（空調機本体制御装置の一例）
１３      吸引ファン制御装置（吸引手段制御装置の一例）
１４      ダンパ部制御装置（可動部材制御装置の一例）
１５      ヒートポンプ制御装置
１００      空調システム
１０１      センサ
１０２      窓
１１０      制御盤装置
１１１      センサ制御装置
１１２      窓制御装置
２００      ハウス
２０１      ハウス本体
２０２，２０３，２０４      フレーム
Ａ１      外気
Ａ２      内気
Ｇ      施設園芸空間
Ｍ      空気混合空間
【図１】
2019024407.tif 000003
【図２】
2019024407.tif 000004
【図３】
2019024407.tif 000005
【図４】
2019024407.tif 000006
【図５】
2019024407.tif 000007
【図６】
2019024407.tif 000008
【図７】
2019024407.tif 000009